(57)【要約】【課題】環境に優しい洗浄剤組成物を提供する。【解決手段】洗浄剤組成物は、天然界面活性剤１１〜４５重量部、ミラビル石２５〜３５重量部、硬水軟化剤１０〜４０重量部、キレート剤０．１〜５重量部、及び残余の付加的な洗浄剤原料を含有する。【選択図】なし【特許請求の範囲】
【請求項１】
天然界面活性剤１１〜４５重量部、ミラビル石２５〜３５重量部、硬水軟化剤１０〜４０重量部、キレート剤０．１〜５重量部、及び残余の付加的な洗浄剤原料、を特徴とする洗浄剤組成物。
【請求項２】
天然界面活性剤が、ココナッツ油、ココナッツ粉体、水素化ひまし油、ヤシ油、及びこれらの組み合わせから成る群から選択されることを特徴とする、請求項１に記載の洗浄剤組成物。
【請求項３】
天然界面活性剤が、ココナッツ油５〜２０重量部、ココナッツ粉体５〜２０重量部、及び水素化ひまし油１〜５重量部を含有することを特徴とする、請求項２に記載の洗浄剤組成物。
【請求項４】
硬水軟化剤が炭酸ナトリウムであることを特徴とする、請求項１に記載の洗浄剤組成物。
【請求項５】
キレート剤がメチルグリシン二酢酸三ナトリウムであることを特徴とする、請求項１に記載の洗浄剤組成物。
【請求項６】
付加的な洗浄剤原料が、メチルセルロース０．５〜１．０重量部、アルキルグルコシド１〜６重量部、ポリアクリル酸ナトリウム０．１〜１．０重量部、過炭酸ナトリウム５〜１０重量部、及びメタケイ酸ナトリウム５〜１０重量部を含有することを特徴とする、請求項１に記載の洗浄剤組成物。
【請求項７】
付加的な洗浄剤原料が、カルボキシメチルセルロース０．３〜２重量部、グリセロール３〜１０重量部、二酸化塩素２５０ｐｐｍ未満、及びニーム油３〜１０重量部を更に含有することを特徴とする、請求項６に記載の洗浄剤組成物。
【発明の詳細な説明】
【技術分野】
【０００１】
本発明は洗浄剤組成物に関し、さらに詳しくは、スラッジ油又は脂汚れ等の汚染物の除去用であり、かつ、ミラビル石を含む洗浄剤組成物に関する。
【背景技術】
【０００２】
従来の合成洗剤は、スラッジ油又は脂汚れの除去という所望の目的を達成するように、カチオン性界面活性剤及び非イオン性界面活性剤に、ホルムアルデヒド、蛍光剤、ベンゼン、エチレンジアミン四酢酸（ＥＤＴＡ）の塩、リン酸塩等の混合成分を含有させて調製している。台湾特許公報番号第３３８７７３号は、ノニルフェノール等のアルキルフェノールを含有する従来の合成洗剤において使用可能な非イオン性界面活性剤を開示する。しかしながら、ノニルフェノールを含有する非イオン性界面活性剤は、動物性エストロゲンに類似する化学構造を有し、環境ホルモンとも呼ばれる。このような環境ホルモンは、体内ホルモン分泌の調節機構に干渉しがちであり、また、比較的低濃度で天然ホルモンの作用を刺激することができ、生体の生殖及び発達機能に影響するように、生体の内分泌系を直接刺激又は阻害する。それ故、生体の健康及び繁殖は著しく不利に影響されるであろう。
【０００３】
加えて、カチオン性及び非イオン性界面活性剤は、生分解性に関する国際的環境保護の要求を満たさない。合成洗剤中で使用されるこれらの界面活性剤は、除去対象であるスラッジ油又は脂汚れ等の汚染物の構造を十分に分解又は破壊することはできない。これらの界面活性剤は、一般的に、スラッジ油及び脂汚れを含む汚染物の、洗浄対象物から水への移動に作用する。この様に形成された廃水が環境に放出されると、汚染物は、なおも廃水中に存在し、環境の二次汚染及び水源の汚染をもたらす。あきらかに、カチオン性及び非イオン性界面活性剤を有する従来の合成洗剤は、深刻な汚染及び生態学的環境の破壊の一因となる可能性がある。
【先行技術文献】
【特許文献】
【０００４】
【特許文献１】台湾特許公報第３３８７７３号
【発明の概要】
【発明が解決しようとする課題】
【０００５】
それ故、本願の目的は、環境に優しい洗浄剤組成物を提供することにある。
【課題を解決するための手段】
【０００６】
本発明に従って、洗浄剤組成物は、天然界面活性剤１１〜４５重量部、ミラビル石２５〜３５重量部、硬水軟化剤１０〜４０重量部、キレート剤０．１〜５重量部、及び残余の付加的な洗浄剤原料を含有する。
【図面の簡単な説明】
【０００７】
本発明の他の特徴及び利点は、添付の図面を参照した、以下の、本発明の好ましい態様の詳細な説明において明らかになるであろう。
【図１】本発明の例１と比較例の洗浄剤組成物間における、スラッジ油に対する洗浄効果の比較を図示する写真である。
【図２】本発明の例２と比較例の洗浄剤組成物間における、皮革物品に対する洗浄効果の比較を図示する写真である。
【図３】本発明の例２と比較例の洗浄剤組成物間における、錆びた金属物品に対する洗浄効果の比較を図示する写真である。
【図４】本発明の例１〜３と比較例の洗浄剤組成物間における、大豆油及び醤油の染みがついた繊維布に対する洗浄効果の比較を図示する写真である。
【発明を実施するための形態】
【０００８】
本発明に係る洗浄剤組成物の好ましい態様は、天然界面活性剤１１〜４５重量部、ミラビル石２５〜３５重量部、硬水軟化剤１０〜４０重量部、キレート剤０．１〜５重量部、及び残余の付加的な洗浄剤原料を含有する。
【０００９】
好ましくは、天然界面活性剤は、ココナッツ油、ココナッツ粉体、水素化ひまし油、ヤシ油、及びこれらの組み合わせから成る群から選択される。更に好ましくは、天然界面活性剤は、ココナッツ油５〜２０重量部、ココナッツ粉体５〜２０重量部、及び水素化ひまし油１〜５重量部を含有する。特に、ココナッツ油は優しく、かつ、抗菌及び皮膚保護効果を有する。天然界面活性剤は優れた浸透効果を有するので、スラッジ油又は脂汚れ等の汚染物の分子構造を完全に破壊することができ、放出された廃液中でその汚染物を完全に生分解することができる。
【００１０】
ミラビル石、即ち、１０水和硫酸ナトリウムは、従来、漢方薬分野に適用され、軟下剤として使用される。徹底的研究の後、本出願人は、ミラビル石が、比較的良好な水溶性及び汚染物の硬化した表面に対する軟化効果を有し、それによって、天然界面活性剤が汚染物内に十分に浸透することを助けて、洗浄効果の改良を達成することを見出した。
【００１１】
出願人の多大な実験から得られた試験結果に基づき、天然界面活性剤と組み合わせた適量のミラビル石は、エマルジョン及び分解の高い性能を介して、頑固な汚染物に対して作用できる。ミラビル石を、適切な比率で天然界面活性剤と混合すると、例えば、天然界面活性剤１１〜４５重量部にミラビル石２５〜３５重量部を混合すると、このように形成された洗浄剤組成物は、洗浄工程の間、微細な泡を作り出し、これらの微細な泡は容易に洗い流され、水の使用量の大幅な節減及び優れた生分解性を達成する。しかしながら、もしもミラビル石の量が２５重量部未満だと、汚染物の硬化した表面を軟化させる速さが十分に高くはなく、満足できる洗浄効果を得ることができない。他方、もしもミラビル石の量が３５重量部より大きいと、汚染物の硬化した表面を軟化させるための満足できる速さは得られるが、他の成分の量が相対的に低い、又は不十分なため、洗浄効果を改良することができない。
【００１２】
好ましくは、硬水軟化剤は炭酸ナトリウムである。
【００１３】
好ましくは、キレート剤はメチルグリシン二酢酸三ナトリウム（ＭＧＤＡ−Ｎａ３）等の環境調和型キレート剤から選択される。環境調和型キレート剤は、従来の合成洗剤において使用され、かつ環境及び生態系を深刻に損傷しているＥＤＴＡを置き換えることを目指している。本出願人の研究によれば、環境調和型キレート剤としてメチルグリシン二酢酸三ナトリウム（ＭＧＤＡ−３Ｎａ）を用いて、本発明の洗浄剤組成物を重金属と更に完全にキレート化させることができ、従来の洗浄剤において、リン酸カルシウム鱗片の発生を回避するため硬水中に存在するカルシウムイオンの除去に使用されているゼオライトを置き換えることができるであろう。加えて、メチルグリシン二酢酸三ナトリウムの生分解性は、２８日以内で８０％を超え、すると、ＥＤＴＡをメチルグリシン二酢酸三ナトリウムで置き換えることは、洗浄剤組成物の重金属の除去能を改良するだけではなく、環境に対する洗浄剤組成物の悪影響を減少させる。
【００１４】
好ましくは、付加的な洗浄剤原料は、メチルセルロース０．５〜１．０重量部、アルキルグルコシド１〜６重量部、ポリアクリル酸ナトリウム０．１〜１．０重量部、過炭酸ナトリウム５〜１０重量部、及びメタケイ酸ナトリウム５〜１０重量部を含有する。更に好ましくは、付加的な洗浄剤原料は、カルボキシメチルセルロース０．３〜２重量部、グリセロール３〜１０重量部、二酸化塩素２５０ｐｐｍ未満、及びニーム油３〜１０重量部を更に含有する。
【００１５】
付加的な洗浄剤原料の組成に関しては、メチルセルロースは、本発明の洗浄剤組成物で処理された溶液の濃厚化及び分散度の改良のために使用される。アルキルグルコシドは、水道水に由来する石灰を除去し、石灰化が起きることを回避するために使用される。ポリアクリル酸ナトリウムは、水道水の軟化及び洗浄剤組成物で処理された溶液の濃厚化を高めるために使用される。ポリアクリル酸ナトリウムは、アクリル酸とアクリル酸ナトリウムの重合により調製され、負に帯電しているので、比較的大きい容積の水を吸収して使用者の皮膚の水分保持能力を高めることができ、また、水道水の軟化を高めて洗浄剤組成物の洗浄力を改良することができる。
【００１６】
従来の合成洗剤が強い酸性又は塩基性の成分を含有し、使用者の皮膚に損傷を与えがちであり、乾燥、老化等の肌の問題の原因となることが認められている。付加的な洗浄剤原料中に、ポリアクリル酸ナトリウムと共にアルキルグルコシドを含有させたおかげで、本発明の洗浄剤組成物は刺激が少なく、使用者の皮膚に水分保持特性を提供する。
【００１７】
過炭酸ナトリウム及びメタケイ酸ナトリウムは、漂白剤として使用される。カルボキシメチルセルロースは食品等級添加物に属し、増粘剤として使用される。グリセロールは、水分保持及び凍結防止効果を高めるために使用される。二酸化塩素は、その強力な酸化力の故に、抗菌及び抗ウィルス効果を高めるために使用され、また、ＷＨＯによって、安全で有効なＡｌ−レベルの消毒剤として、かつ、第四世代の抗菌剤として、認定されている。本発明において使用されるニーム油は、優れた水分保持効果を有する、生分解性で無毒性の抗菌剤であり、そのため湿疹や皮膚アレルギー等の皮膚疾患の治療に使用することができる。
【００１８】
本発明の利点は、スラッジ油又は脂汚れ等の汚染物の硬化した表面を軟化させるためにミラビル石を使用し、天然界面活性剤が汚染物に浸透して洗浄を完全にする点にある。本洗浄剤組成物は、ホルムアルデヒド、ベンゼン、蛍光体、ＥＤＴＡ、ノニルフェノール、重金属等の、環境を害する成分を含有せず、かつ、９５％を超える生分解性を有する。それ故に、本発明の洗浄剤組成物は環境に優しく、比較的良好な洗浄効果を有する。
【実施例】
【００１９】
例１
ココナッツ油１０．０重量部、ココナッツ粉体１２．０重量部、水素化ひまし油２．３重量部、メチルグリシン二酢酸三ナトリウム１．０重量部、ミラビル石２５．０重量部、メチルセルロース０．７重量部、アルキルグルコシド２．５重量部、ポリアクリル酸ナトリウム０．５重量部、過炭酸ナトリウム７．０重量部、メタケイ酸ナトリウム７．０重量部、及び炭酸ナトリウム３２．０重量部を混合して本例の洗浄剤組成物を調製した。
【００２０】
例２
ココナッツ油１０．０重量部、ココナッツ粉体１０．０重量部、水素化ひまし油１．３重量部、メチルグリシン二酢酸三ナトリウム１．０重量部、ミラビル石３０．０重量部、メチルセルロース０．５重量部、アルキルグルコシド２．０重量部、ポリアクリル酸ナトリウム０．２重量部、過炭酸ナトリウム６．０重量部、メタケイ酸ナトリウム６．０重量部、及び炭酸ナトリウム２２．０重量部を混合して、混合物を調製した。この混合物に、メチルセルロース１．０重量部、グリセロール５．０重量部、ニーム油５．０重量部、及び二酸化塩素１５０ｐｐｍを添加して、本例の洗浄剤組成物を調製した。
【００２１】
例３
例３の洗浄剤組成物は、ミラビル石の量が３５．０重量部であること以外は、例２の組成と同様の組成を有する。
【００２２】
例４
表１に示す通り、例４の洗浄剤組成物は、例１の構成成分と同様の構成成分を含有するが、量が異なり、また、ヘキサメタリン酸ナトリウム０．６重量部、クエン酸２．０重量部、及びブタン二酸１．０重量部を更に含有する。
【００２３】
比較例
比較例の洗浄剤組成物は、ミラビル石の量を２０．０重量部に減らし、かつ、ココナッツ粉体、ココナッツ油及び炭酸ナトリウムの量を表１に示した通りにした以外は、例２の組成と同様の組成を有する。
【００２４】
【表１】
2014051544.tif 000002
【００２５】
洗浄効果試験
１．スラッジ油の分解
２本の５００ｍｌのビンに、レストランの廃水処理装置から得たスラッジ油を、等しく４５０ｍｌ詰めた。これらのビンに、それぞれ、例１と比較例の洗浄剤組成物を添加した。２本のビンを１時間放置した。図１（ａ）を参照すると、ミラビル石２０重量部を含有する比較例の洗浄剤組成物で処理したビンでは、スラッジ油のエマルジョン中にスラッジ油の一部が懸濁されていた。図１（ｂ）を参照すると、ミラビル石２５重量部を含有する例１の洗浄剤組成物で処理したビンでは、スラッジ油は完全に乳化された。これは、ミラビル石２５重量部以上を含有する本発明の洗浄剤組成物は、スラッジ油に対して、改良された洗浄効果を有することを実証している。
【００２６】
２．皮革物品の洗浄
２脚の椅子の皮革表皮に、スラッジ油を等しく散布した。次いで、２脚の椅子を、それぞれ、比較例の洗浄剤組成物及び例２の洗浄剤組成物で拭い、スラッジ油を除去した。ミラビル石２０重量部を含有する比較例の洗浄剤組成物で処理した椅子の皮革表皮のスラッジ油の一部は椅子上に残留したこと、及び、例２の洗浄剤組成物で処理した椅子の皮革表皮のスラッジ油は完全に除去できたことが見出された。これは、本発明の洗浄剤組成物は、皮革物品上のスラッジ油を除去するために有用であることを実証している。
【００２７】
３．金属物品の洗浄
２本の錆びた金属管を、それぞれ、例２及び比較例の洗浄剤組成物で拭った。図２（ａ）を参照すると、左の錆びた金属管は、比較例の洗浄剤組成物で処理した後、なおも錆びで覆われていたが、一方で、図２（ｂ）を参照すると、右の錆びた金属管は、例２の洗浄剤組成物で処理した後、艶やかに変った。これは、本発明の洗浄剤組成物は、皮革物品に加えて、金属物品の洗浄に有用であることを実証している。
【００２８】
４．繊維の洗浄
４片の白い繊維布を、醤油１０ｃｃと大豆油１０ｃｃの液体混合物に浸して汚した。例１〜３の洗浄剤組成物１０ｍｌ、及び比較例の洗浄剤組成物１０ｍｌを、それぞれ、水で希釈して、最終容積を４０ｍｌにした。４片の汚れた繊維布を、それぞれ、希釈した例１〜３及び比較例の洗浄剤組成物を使用して洗った。３０秒間洗った後の、各洗浄剤組成物の洗浄効果を図３に示す。図３（ａ）に示す通り、比較例の洗浄剤組成物を使用して洗った繊維布は、本発明の例の洗浄剤組成物を使用して洗った他の繊維布（図３（ｂ）−（ｄ）参照）より暗い色を有している。このことは、醤油及び大豆油は、比較例の洗浄剤組成物を使用して洗った繊維布の繊維中に浸透しており、ほとんど洗浄されないことを意味する。この試験は、本発明の例の洗浄剤組成物が、繊維布の洗浄において比較例より優れていることを実証した。なおまた、ミラビル石の量が増えるほど、繊維布に対する洗浄効果はより良くなるであろう。洗浄剤組成物中のミラビル石の量が少なくとも３０重量部に達したとき、処理後の繊維布の状況は、醤油と大豆油の混合物中に浸す前の繊維布の元の状況とほとんど同じである。
【００２９】
上記の洗浄試験の結果によれば、スラッジ油又は脂汚れ等の汚染物の硬化した表面を軟化させるために特定の量範囲のミラビル石を使用することにより、そして完全な洗浄のために天然界面活性剤の汚染物への浸透を可能にすることにより、本発明の洗浄剤組成物は、ホルムアルデヒド、ベンゼン、蛍光物質、ＥＤＴＡ、ノニルフェノール、重金属等の環境に有害な成分を含有せず、かつ、９５％を超える生分解性を有する。故に、本発明の洗浄剤組成物は環境に優しく、かつ、比較的良好な洗浄効果を有する。
【００３０】
本発明を、最も実用的な、かつ好ましい実施態様と考えられることとの関連において説明してきたが、本発明は開示された実施態様に限定されるのではなく、最も広い解釈の精神及び範疇に包含される種々の翻案物を対象とし、全てのこのような修正及び等価翻案物を網羅することを意図していることが理解される。
【図１】
2014051544.tif 000003
【図２】
2014051544.tif 000004
【図３】
2014051544.tif 000005
【手続補正書】
【提出日】平成24年12月4日(2012.12.4)
【手続補正１】
【補正対象書類名】明細書
【補正対象項目名】０００７
【補正方法】変更
【補正の内容】
【０００７】
本発明の他の特徴及び利点は、添付の図面を参照した、以下の、本発明の好ましい態様の詳細な説明において明らかになるであろう。
【図１】本発明の例１と比較例の洗浄剤組成物間における、スラッジ油に対する洗浄効果の比較を図示する写真である。
【図２】本発明の例２と比較例の洗浄剤組成物間における、錆びた金属物品に対する洗浄効果の比較を図示する写真である。
【図３】本発明の例１〜３と比較例の洗浄剤組成物間における、大豆油及び醤油の染みがついた繊維布に対する洗浄効果の比較を図示する写真である。 
【外国語明細書】
2014051544000001.pdf